(57)【特許請求の範囲】
【請求項１】
エンジンの排気通路に設けられ、排気中の有害成分を吸蔵又は放出する吸蔵材を担持してなる排気浄化触媒の劣化状態を診断する触媒診断装置であって、
該排気浄化触媒からの該吸蔵材の飛散量を検出する飛散量検出手段と、
該飛散量検出手段で検出された該飛散量に基づいて該劣化状態を診断する診断手段と
を備えたことを特徴とする、触媒診断装置。
【請求項２】
該排気浄化触媒は、アルカリ金属又はアルカリ土類金属を含んだ吸蔵材を有するとともに、
該飛散量検出手段は、該排気浄化触媒よりも下流側の該排気通路における酸素濃度に応じた検出値を検出する酸素濃度センサを有し、
該診断手段は、該酸素濃度センサで検出された該検出値に基づいて該劣化状態を診断する
ことを特徴とする、請求項１記載の触媒診断装置。
【請求項３】
該診断手段は、該エンジンのリーン運転時における該検出値の大きさから推定される該吸蔵材の該飛散量に基づいて、該排気浄化触媒の劣化状態を診断する
ことを特徴とする、請求項２記載の触媒診断装置。
【請求項４】
該診断手段は、リーン状態からリッチ状態への該エンジンの運転域切換時における該検出値の経時変動パターンから推定される該吸蔵材の該飛散量に基づいて、該排気浄化触媒の劣化状態を診断する
ことを特徴とする、請求項２又は３記載の触媒診断装置。
【請求項５】
該排気浄化触媒は、アルカリ金属又はアルカリ土類金属を含んだ吸蔵材を有するとともに、
該飛散量検出手段は、該排気浄化触媒よりも下流側の排気のｐＨ値を検出するｐＨセンサを有し、
該診断手段は、該ｐＨセンサで検出された該ｐＨ値から推定される該吸蔵材の該飛散量に基づいて、該劣化状態を診断する
ことを特徴とする、請求項１記載の触媒診断装置。
【請求項６】
該診断手段は、該飛散量検出手段で検出された該検出値から推定される該飛散量を累計して算出する累計手段を有するとともに、該累計手段で算出された該累計と予め設定された所定量との比較により、該排気浄化触媒の劣化状態を診断する
ことを特徴とする、請求項２〜５の何れか１項に記載の触媒診断装置。
【発明の詳細な説明】
【技術分野】
【０００１】
本発明は、排気浄化触媒の劣化状態を診断する触媒診断装置に関する。
【背景技術】
【０００２】
従来より、エンジンから排出される排気中の有害成分である窒素酸化物（ＮＯx）を除去して排気を浄化するための種々の排気浄化装置が開発されている。これらの排気浄化装置における浄化方法としては、例えば、排気中へ尿素〔ＣＯ（ＮＨ2）2〕を添加し、発生するアンモニア（ＮＨ3）によりＮＯxを無害の窒素ガス（Ｎ2）に還元する方法や、プラチナ（Ｐｔ）やパラジウム（Ｐｄ）等の貴金属触媒を用いて排気中の未燃燃料（ＨＣ）や一酸化炭素（ＣＯ）とＮＯxとを化学的に反応させ、還元する方法等が挙げられる。
【０００３】
貴金属触媒を用いる方法の場合、触媒にカリウム（Ｋ）やバリウム（Ｂａ）等のＮＯx吸蔵材（トラップ剤）を担持させてＮＯxを硝酸塩の形で触媒中に吸蔵し、ＮＯxの還元効率を向上させる手法が知られている。つまり、例えばエンジンのリーン運転状態においては、ＮＯxをトラップ剤に吸蔵させ、ストイキ運転状態やリッチ運転状態となったときにそのＮＯxを還元浄化するものである。このような手法によれば、エンジン運転状態に合わせた効率的な排気浄化を行うことができるようになる。
【０００４】
ところで、トラップ剤は無限にＮＯxを吸蔵できる訳ではなく、ある程度の量のＮＯxを吸蔵するとそれ以上ＮＯxを吸蔵しきれない状態となる。そのため、リーン運転状態が連続するような場合には、定期的にＮＯxを強制放出させてＮ2へ還元させる、所謂ＮＯxパージ制御が行われる。
このようなＮＯxパージ制御に関して、特許文献１には、エンジンのリーン燃焼中においてトラップ剤へのＮＯx吸蔵量を推定するとともに、排気空燃比をリーンからリッチへ反転させるのに要する時間（遅れ時間）を計測し、これらのＮＯx吸蔵量及び遅れ時間に基づいて触媒の能力低下を診断する構成が記載されている。この場合、遅れ時間はトラップ剤における実際のＮＯx吸蔵量に相関しているため、ＮＯx吸蔵量が増加するに連れて排気空燃比の反転時間が短くなることになる。このような特性を利用して、トラップ剤の吸蔵能力を診断し、ＮＯxパージ制御に応用している。
【０００５】
また、触媒の劣化現象の一つとして硫黄被毒が知られている。この硫黄被毒とは、排気中に含まれる硫黄成分（Ｓ）がＮＯxと同様に吸蔵されＮＯx吸蔵能力を阻害する現象であり、硫黄成分がトラップ剤に蓄積されると、吸蔵可能なＮＯx量が低下してしまう。
このような課題に対して、特許文献２には、ＮＯx吸蔵材に蓄積された硫黄被毒量を推定する硫黄被毒量推定手段を備えた構成が開示されている。これにより、ある程度の硫黄成分がＮＯx吸蔵材に蓄積されたと推定された場合に、昇温処理にて触媒全体を高温化し硫黄成分を放出する回復制御（所謂Ｓパージ制御）を実施するようになっている。
【０００６】
上記のように、トラップ剤を担持する触媒を備えた排気浄化装置においては、良好な排気浄化効率を維持するべく、吸着されたＮＯx量やＳ量を演算することでトラップ剤の劣化を診断する様々な技術が提案されている。
【特許文献１】特許第３５２０７３０号公報
【特許文献２】特開２００５−２６４８０８号公報
【発明の開示】
【発明が解決しようとする課題】
【０００７】
一方、排気浄化装置における触媒の劣化現象として、ＮＯxの吸着や硫黄被毒等の化学的被毒だけでなく、排気浄化触媒からのトラップ剤自体の飛散がある。つまり、触媒に担持されているトラップ剤が飛散して、吸蔵能力の最大値が低下してしまう現象である。特に、ＮＯxのトラップ剤として用いられるアルカリ金属及びアルカリ土類金属のうち、カリウム（Ｋ），ナトリウム（Ｎａ）及びリチウム（Ｌｉ）については、その化学的性質から飛散を起こしやすい。
【０００８】
しかし、従来の劣化診断方法では、このようなトラップ剤の飛散を検出することができない。例えば、特許文献１に記載の技術では、トラップ剤の飛散による吸蔵最大能力の低下がＮＯx吸蔵量の増加として誤って検出されることになり、ＮＯxパージ制御が繰り返し実施されてしまう。また、特許文献２に記載の技術においても同様であり、硫黄被毒量の誤検出によりＳパージ制御が実施されてしまい、真の劣化原因を把握することができない。
【０００９】
本発明はこのような課題に鑑み案出されたもので、排気浄化触媒における劣化原因を把握することにより劣化状態の診断精度を向上させることができる触媒診断装置を提供することを目的とする。
【課題を解決するための手段】
【００１０】
上記目的を達成するため、本発明の触媒診断装置（請求項１）は、エンジンの排気通路に設けられ、（該エンジンの運転状態に応じて、あるいは、排気中の酸素濃度に応じて）排気中の有害成分（例えば、ＮＯx）を吸蔵又は放出する吸蔵材（トラップ剤）を担持してなる排気浄化触媒の劣化状態を診断する触媒診断装置であって、該排気浄化触媒からの該吸蔵材の飛散量を検出する飛散量検出手段と、該飛散量検出手段で検出された該飛散量に基づいて該劣化状態を診断する診断手段とを備えたことを特徴としている。
【００１１】
また、該排気浄化触媒が、該吸蔵材と該有害成分を浄化する物質（例えば、プラチナ，ロジウム，パラジウム等の貴金属触媒）とを担持してなるものであってもよい。
なお、該吸蔵材は、該エンジンの運転状態に応じて排気中の有害成分を吸蔵又は放出するものである。例えば、エンジンのリーン運転時にＮＯxを吸蔵し、エンジンのストイキ運転時又はリッチ運転時にＮＯxを放出する。このような該吸蔵材の機能変化は、主に、排気中の酸素濃度の変動に由来する。
【００１２】
また、該排気浄化触媒は、アルカリ金属又はアルカリ土類金属（例えば、カリウムやリチウム，ナトリウム等）を含んだ吸蔵材を有するとともに、該飛散量検出手段は、該排気浄化触媒よりも下流側の該排気通路における酸素濃度に応じた検出値（酸素濃度差によって生じる電圧）を検出する酸素濃度センサを有し、該診断手段は、該酸素濃度センサで検出された該検出値に基づいて該劣化状態を診断することが好ましい（請求項２）。
【００１３】
この場合、該診断手段が、該エンジンのリーン運転時における該検出値の大きさから推定される該吸蔵材の該飛散量に基づいて、該排気浄化触媒の劣化状態を診断することが好ましい（請求項３）。
或いは、該診断手段が、リーン状態からリッチ状態への該エンジンの運転域切換時における該検出値の経時変動パターン（例えば、立ち上がり時間や、立ち上がり勾配等）から推定される該吸蔵材の該飛散量に基づいて、該排気浄化触媒の劣化状態を診断することが好ましい（請求項４）。
【００１４】
また、該排気浄化触媒は、アルカリ金属又はアルカリ土類金属を含んだ吸蔵材を有するとともに、該飛散量検出手段は、該排気浄化触媒よりも下流側の排気のｐＨ値を検出するｐＨセンサを有し、該診断手段は、該ｐＨセンサで検出された該ｐＨ値から推定される該吸蔵材の該飛散量に基づいて、該劣化状態を診断することが好ましい（請求項５）。
なお、該診断手段は、該飛散量検出手段で検出された該検出値から推定される該飛散量を累計して算出する累計手段を有するとともに、該累計手段で算出された該累計と予め設定された所定量との比較により、該排気浄化触媒の劣化状態を診断することが好ましい（請求項６）。
【発明の効果】
【００１５】
本発明の触媒診断装置（請求項１）によれば、排気浄化触媒上に飛散せずに残存している吸蔵材の担持量を把握することができ、吸蔵能力の上限値（すなわち、最大トラップ能力）を診断することができる。
また、排気浄化触媒の劣化の原因を特定することができるようになり、例えば、浄化能力低下が吸蔵材の飛散に起因するのか、それとも硫黄被毒等に起因するのか、といった原因の切り分けが可能となる。したがって、劣化の原因に応じてＮＯxパージ制御やＳパージ制御、あるいは触媒交換時期を示す報知ランプの表示といった適切な制御を実施することができ、これらの制御精度を向上させることができる。
【００１６】
また、本発明の触媒診断装置（請求項２）によれば、簡素な構成で排気浄化触媒の劣化状態の診断を行うことができる。また、ＮＯxセンサを設けることなく吸蔵能力の劣化検知を行うことができ、コストメリットが大きい。さらに、吸蔵能力の劣化検知と同時に酸素濃度センサの故障診断が可能である。
なお、酸素濃度センサを用いることで、酸素濃度センサ表面への吸蔵材の付着による細孔閉塞に応じた検出値が検出されることになる。あるいは、飛散した吸蔵材が酸素濃度センサ内（電極等）でＮＯxを吸蔵することによって生じる酸素濃度変化が検出されることになると推定される。
【００１７】
また、本発明の触媒診断装置（請求項３）によれば、エンジンの運転域がリーン状態にあっても排気浄化触媒の劣化診断を実施することができる。また、酸素濃度センサでの検出値の検出時から即座に（リアルタイムに）診断が可能である。
また、本発明の触媒診断装置（請求項４）によれば、検出値の経時変動パターンに基づく診断であるため、一時的なノイズの影響を受けにくくなり、診断精度を向上させることができる。
【００１８】
また、本発明の触媒診断装置（請求項５）によれば、吸蔵材の飛散によって変化する排気のｐＨ値を測定することにより、簡素な構成で排気浄化触媒の劣化状態の診断を行うことができる。
また、本発明の触媒診断装置（請求項６）によれば、排気の一部（サンプル）から排気中に含まれる吸蔵材の飛散量を算出してこれを累計することにより、排気浄化触媒の劣化状態の診断を行うことができる。
【発明を実施するための最良の形態】
【００１９】
［第一実施形態］
以下、本発明の第一実施形態について説明する。図１〜図６は、本発明の第一実施形態としての触媒診断装置を示すものであり、図１は本装置の構成を模式的に示すブロック図、図２は本装置が診断する排気浄化触媒におけるＮＯxの吸蔵還元反応を説明する模式図であり、（ａ）はＮＯxのトラップ剤への吸蔵時における化学反応，（ｂ）はＮＯxの還元時における化学反応を示し、図３は本装置が診断する排気浄化触媒におけるＮＯx吸蔵能力とトラップ剤の飛散量との関係を示すグラフ、図４は本装置における酸素濃度センサの一例であるＯ2センサの構成を示し、（ａ）はＯ2センサの断面構成図、（ｂ）はその要部拡大断面図、図５は本装置の作用を説明するための図であり、（ａ）はエンジンの運転状態の変化を示すグラフ、（ｂ）はＯ2センサで検出される出力の大きさの変化を示すグラフ、図６は本装置における制御内容を示すフローチャートである。
【００２０】
［構成］
（１）排気浄化触媒
図１には、本発明の触媒診断装置４の診断対象となる排気浄化触媒１が示されている。この排気浄化触媒１は、車両に搭載されたエンジンＥの下流側の排気通路に介装されて、エンジンＥから排出される排気中の有害成分を浄化する装置である。この排気浄化触媒１は、コーディエライト，メタル等からなるハニカム状の担体を備えるとともに、その表面にアルミナと、プラチナ，ロジウム，パラジウム等の触媒貴金属（以下、単に触媒と呼ぶ）６の微粒子と、吸蔵材としてのトラップ剤７とを担持して構成されている。なお、本実施形態では、トラップ剤７としてカリウム（Ｋ）が用いられている。
【００２１】
エンジンＥのリーン運転時には、このトラップ剤７にＮＯxが硝酸塩の形で吸蔵され、またストイキ運転時やリッチ運転時には、トラップ剤７からＮＯxが放出されるようになっている。なお一般に、トラップ剤７のＮＯx吸蔵能力は、図３に示すように、担持層に担持されているトラップ剤７の担持量が多いほど（すなわち、担持層からの飛散量が少ないほど）ＮＯx吸蔵能力が高く、トラップ剤７の担持量が少ないほど（すなわち、飛散量が多いほど）ＮＯx吸蔵能力が低くなる。
本触媒診断装置４は、上記の排気浄化触媒１を診断するための装置であって、以下に詳述するＯ2センサ２，診断装置（診断手段）３及び報知ランプ５を備えて構成される。
【００２２】
（２）Ｏ2センサ
排気浄化装置１よりも下流側の排気通路上には、排気中の酸素濃度を検出する酸素濃度センサの一例として、Ｏ2センサ（飛散量検出手段、以下単にセンサとも呼ぶ）２が備えられている。排気浄化装置１に担持されているトラップ剤７が飛散した場合には、トラップ剤７を含んだ排気が下流側へ流れるため、トラップ剤７の一部がセンサ２の表面に付着することになる。つまり本触媒診断装置４では、センサ２の表面に付着したトラップ剤７の付着量とトラップ剤７の飛散量との相関関係を利用して、排気浄化触媒１の劣化状態を診断するようになっている。
【００２３】
このセンサ２は、図４（ａ），（ｂ）に示すように、二つの電極２ａ，２ａの間に固体電解質２ｂを充填された層状壁の両側面に対して排気（排気通路の内部側の空気）及び外気（排気通路の外部の空気）がそれぞれ接触するように管状に形成されるとともに、電極２ａ，２ａを接続するように伝導体２ｃが配設された、公知の構造を備えている。
具体的には、固体電解質の内部にイオンの状態で浮遊している酸素Ｏ-が、電極の両側面の酸素分圧の差に応じて排気側の電極へ移動するようになっており、このような酸素イオンＯ-の移動によって伝導体２ｃ内を流れる電流の大きさが、酸素濃度の指標として検出される。ここで検出されたセンサ出力Ｖは、診断装置３へ入力されるようになっている。なお、本実施形態では、外気の酸素濃度に対する排気の酸素濃度が低い時に、大きな電流値を検出するようになっている。
【００２４】
例えば、排気中の酸素濃度が低下すると、排気側の電極２ａに作用する酸素分圧が低下する。そのため、固体電解室内の酸素イオンは大気側から排気側へ移動する。これにより、電極２ａ，２ａ間に電位差が生じ、伝導体２ｃ中を電流が流れることになる。また、排気中の酸素濃度が外気に比べて低くなる（酸素が薄くなる）ほど、排気側の電極２ａに作用する酸素分圧がより低くなるため、伝導体２ｃに流れる電流の大きさが大きくなる。
【００２５】
本実施形態では、予め試験や実験により、図５に示すような電流値の大きさが計測されている。ここには、時刻ｔ0にエンジンＥがリッチ運転からリーン運転へ切り換えられ、その後時刻ｔ1に再びリーン運転からリッチ運転へと切り換えられた場合における、電流値（以下、センサ出力Ｖと呼ぶ）の変動が示されている（なおｔ0＜ｔ1）。
これによると、センサ２の電極２ａへのトラップ剤７の付着が殆どない（カリウム付着量が小である）場合には、リーン運転時のセンサ出力Ｖが大きく低下し、トラップ剤７の付着量が増加するほど、リーン運転時のセンサ出力Ｖが増加することがわかる。
【００２６】
なおここでは、予め設定された所定の基準により、センサ２の排気側の電極２ａ表面へのトラップ剤７の付着量が計測された試験結果が示されており、トラップ剤７の付着量に応じて、カリウム付着量が小の場合〔図５（ｂ）中の太実線〕とカリウム付着量が中の場合〔図５（ｂ）中の太破線〕と大の場合〔図５（ｂ）中の細破線〕とが例示されている。それぞれの場合におけるリーン運転時のセンサ出力Ｖは、第１基準値Ｖ1，第２基準値Ｖ2及び第３基準値Ｖ3となっている（なおＶ1＜Ｖ2＜Ｖ3）。
【００２７】
（３）診断装置
診断装置３は、排気浄化装置１の劣化状態を診断するための電子制御装置（コンピュータ）であり、内部に判定部３ａを備えて構成されている。なお、診断装置３には、図示しない検出手段（任意の公知手段）を利用して把握されたエンジンＥの運転状態が随時入力される。本実施形態ではこの運転状態として、リーン運転状態及びリッチ運転状態の何れかが入力されるようになっている。
【００２８】
判定部３ａは、センサ２から入力されたセンサ出力Ｖに基づいて、排気浄化装置１の劣化状態を診断する制御部である。この判定部３ａには、前述の第１基準値Ｖ1，第２基準値Ｖ2及び第３基準値Ｖ3が判定基準値として記憶されており、センサ２から検出されたセンサ出力Ｖとこれらの判定基準値を比較することによって、排気浄化装置１の劣化状態を診断するようになっている。
【００２９】
まず、センサ出力Ｖが第１基準値Ｖ1以下の場合には、排気触媒装置１が劣化していないと診断する。つまり、トラップ剤７の飛散が進行するほど排気中へ飛散するトラップ剤７の量が増加するため、センサ２に付着して堆積するトラップ剤７の量も増加する。このようなセンサ出力Ｖとトラップ剤７の飛散現象との相関関係を利用して劣化診断がなされているのである。なおここでは、一旦センサ２に付着したトラップ剤７はセンサ２の内部の細孔に捕捉されて、再びセンサ２の内部から飛散することがないものと見做されている。
【００３０】
また、センサ出力Ｖが第１基準値Ｖ1よりも大きくかつ第２基準値Ｖ2以下である場合には、劣化の度合いが小さいと診断する。同様に、センサ出力Ｖが第２基準値Ｖ2よりも大きくかつ第３基準値Ｖ3以下である場合には、やや劣化の度合いが進行している（劣化の度合いが中）である診断する。さらに、センサ出力Ｖが第３基準値Ｖ3よりも大きい場合には、劣化の度合いが大きいと診断する。
【００３１】
（４）報知ランプ
また、診断装置３の判定部３ａにおける診断結果を報知するための手段として報知ランプ５が備えられている。本実施形態では、上記の４種類の診断結果に対応して、４個の報知ランプ５が車両のインパネ部に取り付けられている。
【００３２】
［排気浄化のメカニズム］
次に、排気浄化触媒１における排気中の有害成分の浄化のしくみについて、図２（ａ），（ｂ）を用いて簡単に説明する。
まず、エンジンＥのリーン運転時には、排気中の酸素濃度が増大し、触媒６及びトラップ剤７の表面に酸素（Ｏ2）がＯ2-又はＯ-の状態で付着する。このとき、図２（ａ）に示すように、排気中の一酸化窒素（ＮＯ）が触媒６の表面上で酸化され、二酸化窒素（ＮＯ2）が生成される。
【００３３】
ここで生成されたＮＯ2や排気中に含まれていたＮＯ2等の窒素酸化物（ＮＯx）は、触媒６上でさらに酸化され、硝酸イオン（ＮＯ3-）の形でトラップ剤７中に拡散しながらカリウム（Ｋ）に吸蔵される。このような化学反応は、排気中の酸素濃度が高い状態であれば、継続的に観察される。また、吸蔵されうるＮＯ3-の量（最大吸蔵量）はこれに結合しうるＫの量に対応し、排気浄化触媒１の最大トラップ能力はトラップ剤７の担持量に比例する。
【００３４】
一方、エンジンＥのストイキ運転時やリッチ運転時には、排気中の酸素濃度が低下する。これにより、トラップ剤７内部に吸蔵されていたＮＯ3-がＫから放出され、ＮＯ3-のうちの酸素の結合が離れて、排気中にＯ2とＮＯ2とが放出される。
ここで放出されたＮＯ2や排気中に含まれていたＮＯ2は、触媒６の表面上において排気中の未燃燃料（ＨＣ）や一酸化炭素（ＣＯ），水素（Ｈ2）によって窒素（Ｎ2）に還元されるとともに、ＣＯやＨ2が酸化されて、二酸化炭素（ＣＯ2），水蒸気（Ｈ2Ｏ）として排気中に放出される。このようにして、排気中のＮＯxとＣＯとが共に浄化される。
【００３５】
なお、トラップ剤７自体が排気浄化触媒１から飛散すると、エンジンＥのリーン運転時において、触媒６で酸化されたＮＯ3-と結合するＫの数が減少することになり、ＮＯx吸蔵量が減少する。つまり、排気浄化触媒１におけるＮＯx吸蔵能力が低下してしまうのである。飛散したＫは、排気と共に排気浄化触媒１よりの下流側へ流出し、その一部がセンサ２の内部の細孔に捕捉されて、付着堆積することになる。
【００３６】
［フローチャート］
次に、図６を用いて本触媒診断装置４における劣化判定に係るフローチャートを説明する。このフローは、センサ２へのＫの付着堆積によるリーン運転時のセンサ出力の変化と排気浄化触媒１からのＫの飛散量との相関関係を利用して劣化判定を行うものである。なお、このフローチャートは、診断装置３の判定部３ａ内において所定周期で繰り返し実行されている。
【００３７】
まず、ステップＡ１０では、診断装置３へエンジンＥの運転状態が入力される。ここで入力される運転状態は、リーン運転状態，リッチ運転状態のうちの何れかである。続くステップＡ２０では、センサ２で検出されたセンサ出力Ｖが読み込まれる。
そして、続くステップＡ３０において、ステップＡ１０で入力されたエンジンＥの運転状態がリーン運転状態であるか否かが判定される。ここで、リーン運転状態である場合には、ステップＡ４０へ進み、リーン運転状態でない場合には、そのままこのフローを終了する。つまり、リッチ運転状態である場合には、ステップＡ４０以下のフローが実施されず、劣化診断が行われないことになる。
【００３８】
一方、ステップＡ４０では、ステップＡ２０で読み込まれたセンサ出力Ｖが第１基準値Ｖ1以下であるか否かが判定される。ここで、Ｖ≦Ｖ1である場合には、ステップＡ７０へ進み、「排気浄化触媒１が劣化していない」と診断され、対応する報知ランプ５が点灯制御されてこのフローが終了する。また、Ｖ＞Ｖ1である場合には、ステップＡ５０へ進む。
【００３９】
ステップＡ５０では、センサ出力Ｖが第２基準値Ｖ2以下であるか否かが判定される。ここで、Ｖ≦Ｖ2である場合には、ステップＡ８０へ進み、「排気浄化触媒１の劣化の度合いが小さい」と診断され、対応する報知ランプ５が点灯制御されてこのフローが終了する。また、Ｖ＞Ｖ2である場合には、さらにステップＡ６０へ進む。
ステップＡ６０では、センサ出力Ｖが第３基準値Ｖ3以下であるか否かが判定される。ここで、Ｖ≦Ｖ3である場合には、ステップＡ９０へ進み、「排気浄化触媒１の劣化の度合いがやや進行している（劣化の度合いが中）」と診断され、対応する報知ランプ５が点灯制御されてこのフローが終了する。一方、Ｖ＞Ｖ3である場合にはステップＡ１００へ進み、「排気浄化触媒１の劣化の度合いが大きい」と診断され、対応する報知ランプ５が点灯制御されてこのフローが終了する。
【００４０】
［効果］
以上のような制御により、本触媒診断装置４によれば、Ｏ2センサ２のセンサ出力を利用して排気浄化触媒１からのトラップ剤７の飛散量を診断することができるため、排気浄化触媒１上に飛散せずに残存しているトラップ剤７の担持量を把握することができる。これにより、排気浄化触媒１の吸蔵能力の上限値（すなわち、最大トラップ能力）を診断することができる。
【００４１】
また、排気浄化触媒１の劣化の原因のうち、少なくとも浄化能力の低下がトラップ剤１の飛散に起因するか否かを判定することができる。例えば、公知の診断方法によって排気浄化触媒１の浄化能力が低下したことが検出された状態で、本触媒診断装置４で「劣化していない」と診断された場合には、硫黄被毒かトラップ剤７へのＮＯx吸蔵量が最大吸蔵量に近づいているものと判断することができる。このように、排気浄化触媒１の劣化の原因を特定することができるようになり、劣化の原因に応じてＮＯxパージ制御やＳパージ制御、あるいは触媒交換時期を示す報知ランプの表示といった適切な制御を実施することができ、これらの制御精度を向上させることができる。
【００４２】
また、Ｏ2センサ２のセンサ出力を利用するという簡素な構成で、排気浄化触媒１の劣化状態の診断を行うことができる。また、ＮＯxセンサを設けることなく吸蔵能力の劣化検知を行うことができ、コストメリットが大きい。なお、本触媒診断装置４で「劣化の度合いが大きい」と診断された場合には、Ｏ2センサ２へのトラップ剤７の付着堆積量が増加し、排気中の酸素濃度を検出するというセンサ本来の機能が阻害されていると見做すことができるため、吸蔵能力の劣化検知と同時にＯ2センサ２の故障診断が可能だといえる。
【００４３】
さらに、本触媒診断装置４によれば、エンジンＥのリーン運転時においても排気浄化触媒１の劣化診断を行うことができる。また、Ｏ2センサ２でのセンサ出力の検出時から即座に（リアルタイムに）診断が可能であり利用性に優れている。
【００４４】
［第二実施形態］
本発明の第二実施形態に係る触媒診断装置４は、第一実施形態の判定部３ａにおける診断判定基準が異なるものであり、同一の構成要素については同一の符号を用いて説明をする。
本触媒診断装置における診断装置３の判定部３ａでは、エンジンＥの運転状態がリーン運転からリッチ運転へ変化した際の、センサ２から入力されるセンサ出力Ｖの立ち上がりに基づいて、排気浄化装置１の劣化状態を診断する。
【００４５】
図５（ｂ）に示すように、エンジンＥの運転状態がリーン運転からリッチ運転へ変化すると、増加していた排気中の酸素濃度が再び減少し始め、センサ出力２が上昇する。このとき、センサ２の電極２ａへのトラップ剤７の付着が殆どない（カリウム付着量が小である）場合には、センサ出力の立ち上がり時間が長くなり、リッチ運転状態における定常的なセンサ出力が得られる時刻がｔ4となるが、トラップ剤７の付着量が増加するほど、立ち上がり時間が短くなる。なお、立ち上がりの時刻は、カリウム付着量が中の場合には時刻ｔ3となり、大の場合には時刻ｔ2となっている（なおｔ1＜ｔ2＜ｔ3＜ｔ4）。
【００４６】
上記の特性を利用して、判定部３ａでは、センサ出力の立ち上がり時間がｔ4−ｔ1以上である場合に排気触媒装置１が劣化していないと診断し、ｔ4−ｔ1未満かつｔ3−ｔ1以上である場合に劣化の度合いが小さいと診断するようになっている。同様に、センサ出力の立ち上がり時間がｔ3−ｔ1未満かつｔ2−ｔ1以上である場合にやや劣化の度合いが進行している（劣化の度合いが中）と診断し、ｔ2−ｔ1未満である場合に劣化の度合いが大きいと診断する。
【００４７】
これにより、センサ出力の経時的な変動パターンに基づく診断が行われることになり、一時的なノイズの影響を受けにくくすることができる。すなわち、センサ２への外乱の影響を小さくすることができ、診断精度を向上させることができる。
なお、センサ出力の立ち上がりを把握する手法として、リーン運転からリッチ運転への切換時からリッチ運転状態における定常的なセンサ出力が得られるまでの時間だけでなく、センサ出力の経時変化勾配や変動グラフの形状等、さまざまな経時変動パターンに基づく診断とすることも可能である。
【００４８】
［第三実施形態］
続いて、本発明の第三実施形態について説明する。図７〜９は、本発明の第三実施形態としての触媒診断装置を示すものであり、図７は本装置の構成を模式的に示すブロック図、図８は本装置におけるｐＨセンサの構成を示し、（ａ）はｐＨセンサの断面構成図、（ｂ）はその要部拡大断面図、図９は本装置における制御内容を示すフローチャートである。なお、第一実施形態と同一の構成要素については同一の符号を付し説明を省略する。
【００４９】
［構成］
本触媒診断装置４′は、ｐＨセンサ９，診断装置（診断手段）３′及び報知ランプ５を備えて構成される。
（１）ｐＨセンサ
ｐＨセンサ９は、排気浄化装置１よりも下流側の排気通路における排気のｐＨを検出するセンサである。図８（ａ），（ｂ）に示すように、このｐＨセンサは、ｐＨイオンに感応するＩＳＦＥＴ（イオン感応性電界効果トランジスタ）９ａと、比較電極９ｂと、ＩＳＦＥＴ９ａを覆い所定のｐＨ値を持つゲル状またはポーラス状のイオン透過物質９ｃと、イオン透過物質９ｃを収納する保護層９ｄとを備えて構成されている。
【００５０】
保護層９ｄには微少な細孔が形成されており、この細孔を介してエンジンＥの排気がイオン透過物質９ｃの内部へ浸透するように導かれるようになっている。
また、イオン透過物質９ｃとは、外部から入ってきたイオンに対して略緩衝能を持たない物質であって、イオンが透過するとそのイオンの影響を受けてｐＨを変動させる物質である。通常の排気中には、イオン透過物質９ｃのｐＨを変動させる物質がほとんど含まれていないが、トラップ剤７としてのカリウムは、排気中の水蒸気によってイオン化し、カリウムイオン（Ｋ+）となる。これにより、イオン透過物質９ｃにカリウムイオンが浸透するため、アルカリ性のｐＨを示すことになる。
【００５１】
ＩＳＦＥＴ９ａは、イオン選択膜９ｅと電極９ｆとを備え、シリコン基板上にイオン検出部とイオン量に応じて生じる界面電位差の増幅器とが一体形成された公知のセンサである。このＩＳＦＥＴ９ａは、イオン透過物質９ｃのｐＨ値を検出するようになっている。
つまり、ｐＨセンサ９は、エンジンＥの排気中のｐＨ値を検出するセンサとして機能する。ここで検出された排気のｐＨ値は、診断装置３′へ入力されるようになっている。
【００５２】
（２）診断装置
図７に示すように、診断装置３′は制御部として判定部３ｂと累計部（累計手段）３ｃとを備えて構成される。
判定部３ｂは、ｐＨセンサ９から入力された排気のｐＨ値に基づいて、排気中に含まれるカリウムイオンＫ+の量を推定し、排気浄化触媒１からのトラップ剤７の飛散量を算出する集積回路である。ここで算出されたトラップ剤７の飛散量は、累計部３ｃへ入力されるようになっている。
【００５３】
累計部３ｃは、判定部３ｂで算出されたトラップ剤７の飛散量を累計する記憶装置（メモリ）であり、判定部３ｂから入力される飛散量を随時累積加算して、その累積値Ｂを判定部３ｂへ返送するようになっている。
また、返送された累積値Ｂに基づいて、判定部３ｂは排気浄化装置１の劣化状態を診断する。この判定部３ｂには、予め試験や実験によって得られた第１飛散量Ｂ1及び第２飛散量Ｂ2が判定基準値として記憶されており、これらの判定基準値と累計値Ｂとを比較することによって、排気浄化装置１の劣化状態を診断するようになっている。
【００５４】
なお、判定基準値はさまざまな手法で適宜設定してもよいが、本実施形態では図３に示すように、第１飛散量Ｂ1よりも第２飛散量Ｂ2が大きい値として設定されている（０＜Ｂ1＜Ｂ2）。
まず、判定部３ｂは、累計部３ｃから返送された累計値Ｂが第１飛散量以下の場合には、排気触媒装置１が劣化していないと診断する。つまり、トラップ剤７の飛散が多ければ多いほど、排気中のトラップ剤７の量が増加するため、排気のｐＨ値がアルカリ性を示す。そこで排気中に含まれるトラップ剤７の量を推定して累積することによって、劣化診断がなされているのである。なおここでは、一旦ｐＨセンサ９に浸透したトラップ剤７（すなわち、カリウムイオンＫ+）はＩＳＦＥＴ９ａの電極９ｆに付着するため、再びｐＨ値の変動要因として検出されることがないものと見做されている。
【００５５】
また、累計値Ｂが第１基準値Ｂ1よりも大きくかつ第２基準値Ｂ2以下である場合には、劣化の度合いが小さいと診断する。さらに、累計値Ｂが第２基準値Ｂ2よりも大きい場合には、劣化の度合いが大きいと診断する。
【００５６】
［フローチャート］
続いて、図９を用いて本触媒診断装置４′における劣化判定に係るフローチャートを説明する。なお、このフローチャートは、診断装置３′の判定部３ｂ内において所定周期で繰り返し実行されている。
【００５７】
まず、ステップＢ１０では、ｐＨセンサ９によって検出されたｐＨ値が読み込まれる。これを受けてステップＢ２０では、判定部３ｂにおいて、排気中に含有されるカリウムイオンＫ+の飛散量が推定される。続くステップＢ３０では、累積部３ｃにおいて、判定部３ｂで推定された飛散量が累積加算されて、累計値Ｂが算出される。
その後、ステップＢ４０において、累積加算値Ｂが第１基準値Ｂ1以下であるか否かが判定される。ここで、Ｂ≦Ｂ1である場合には、ステップＢ６０へ進み、「排気浄化触媒１が劣化していない」と診断され、対応する報知ランプ５が点灯制御されてこのフローが終了する。また、Ｂ＞Ｂ1である場合には、ステップＢ５０へ進む。
【００５８】
ステップＢ５０では、累積加算値Ｂが第２基準値Ｂ2以下であるか否かが判定される。ここで、Ｂ≦Ｂ2である場合には、ステップＢ７０へ進み、「排気浄化触媒１の劣化の度合いが小さい」と診断され、対応する報知ランプ５が点灯制御されてこのフローが終了する。また、Ｂ＞Ｂ2である場合には、ステップＢ８０へ進んで、「排気浄化触媒１の劣化の度合いが大きい」と診断され、対応する報知ランプ５が点灯制御されてこのフローが終了する。
【００５９】
［効果］
以上のような制御により、本触媒診断装置４によれば、ｐＨセンサ９を利用して排気中に含まれるカリウムイオンＫ+の飛散量を推定することができるため、排気浄化触媒１上に飛散せずに残存しているトラップ剤７の担持量を把握することができる。これにより、排気浄化触媒１の吸蔵能力の上限値（すなわち、最大トラップ能力）を診断することができる。
【００６０】
また、ｐＨセンサ９を用いるという簡素な構成で、このような診断能力を獲得することができる。さらに、診断装置３′には累計部３ｃが備えられているため、検出結果を蓄積したうえで劣化の診断を行うことができるとともに、比較的シンプルで安価なｐＨセンサ９を用いることが可能となる。
【００６１】
［その他］
以上、本発明の第一，第二及び第三実施形態について説明したが、本発明はこのような実施形態に限定されるものではなく、本発明の趣旨を逸脱しない範囲で種々変形して実施することができる。
【００６２】
例えば、上述の各実施形態では、排気浄化触媒１の担持層に担持されているトラップ剤７としてカリウム（Ｋ）が用いられたものが例示されているが、これをその他のトラップ剤７としての機能を有する物質に置き換えてもよい。つまり、ナトリウム（Ｎａ）やリチウム（Ｌｉ）等のアルカリ金属，アルカリ土類金属を適宜利用してもよく、これらを適用した構成の場合も上述の各実施形態と同様の作用効果を奏するものとなる。
【００６３】
また、上記の第三実施形態は、排気中に含まれるカリウムイオンＫ+の量を推定するよう構成されているが、これに代えてカリウムイオンＫ+の濃度を推定する構成とすることも考えられる。この場合、排気通路を流通する排気流量等を参照してトラップ剤７の飛散量を検出することが好ましく、このような構成によれば、より正確な飛散量の算出が期待できる。
【００６４】
また、第三実施形態に係る累計部３ｃを第一，第二実施形態に係る診断装置３に組み合わせて適用してもよい。例えば、表面に付着したトラップ剤７が再び飛散しやすい材質や形状のＯ2センサ２を用いた場合には、必ずしもセンサ出力Ｖの変化と排気浄化触媒１からのＫの飛散量との相関関係が明確でないことが考えられる。そこで、Ｏ2センサ２のセンサ出力を検出した時点でＯ2センサ２の表面に付着していると推測されるＫの飛散量を算出して、これを累計する構成にすれば、第三実施形態と同様の演算ロジックにより、排気浄化触媒１上に飛散せずに残存しているトラップ剤７の担持量を把握することが可能となる。
【００６５】
また、第一，第二実施形態では、Ｏ2センサを使用しているが、リニアＡ／Ｆセンサ（ＵＥＧＯ）など酸素濃度を検出できるものであればどのようなセンサでもよい。また、第三実施形態のｐＨセンサについてもｐＨを検出できるものであればどのようなセンサでもよい。
【図面の簡単な説明】
【００６６】
【図１】本発明の第一，第二実施形態としての触媒診断装置の構成を模式的に示すブロック図である。
【図２】本装置が診断する排気浄化触媒におけるＮＯxの吸蔵還元反応を説明する模式図であり、（ａ）はＮＯxのトラップ剤への吸蔵時における化学反応を示し、（ｂ）はＮＯxの還元時における化学反応を示す。
【図３】本装置が診断する排気浄化触媒におけるＮＯx吸蔵能力とトラップ剤の飛散量との関係を示すグラフである。
【図４】本発明の第一，第二実施形態としての触媒診断装置におけるＯ2センサの構成を示し、（ａ）はＯ2センサの断面構成図、（ｂ）はその要部拡大断面図である。
【図５】本発明の第一，第二実施形態としての触媒診断装置の作用を説明するための図であり、（ａ）はエンジンの運転状態の変化を示すグラフ、（ｂ）はＯ2センサで検出される出力の大きさの変化を示すグラフである。
【図６】本発明の第一実施形態としての触媒診断装置における制御内容を示すフローチャートである。
【図７】本発明の第三実施形態としての触媒診断装置の構成を模式的に示すブロック図である。
【図８】本発明の第三実施形態としての触媒診断装置におけるｐＨセンサの構成を示し、（ａ）はｐＨセンサの断面構成図、（ｂ）はその要部拡大断面図である。
【図９】本発明の第三実施形態としての触媒診断装置における制御内容を示すフローチャートである。
【符号の説明】
【００６７】
１  排気浄化触媒
２  Ｏ2センサ（飛散量検出手段，酸素濃度センサ，センサ）
２ａ  電極
２ｂ  固体電解質
３，３′  診断装置（診断手段）
３ａ，３ｂ  判定部
３ｃ  累計部（累計手段）
４，４′  触媒診断装置
５  報知ランプ
６  貴金属触媒（プラチナ，触媒）
７  トラップ剤（カリウム，吸蔵材）
８  硝酸塩
９  ｐＨセンサ
９ａ  イオン感応部（ＩＳＦＥＴ等）
９ｂ  比較電極
９ｃ  イオン透過物質層（例えばｐＨ＝７．０になるよう調製した層）
９ｄ  保護層
９ｅ  イオン選択膜
９ｆ  電極
【図１】
0004497115.tif 000002
【図２】
0004497115.tif 000003
【図３】
0004497115.tif 000004
【図４】
0004497115.tif 000005
【図５】
0004497115.tif 000006
【図６】
0004497115.tif 000007
【図７】
0004497115.tif 000008
【図８】
0004497115.tif 000009
【図９】
0004497115.tif 000010